(57)【要約】【課題】コネクタの接続構造を簡素化・コンパクト化する。【解決手段】一方のコネクタ２の両側壁１２，１２’にそれぞれ係止アーム１１とロック突起１３との両方を設け、一方のコネクタを挿入する枠状のフレーム３の両側壁３０，３１に、係止アームに対する係合突部３２を設け、他方のコネクタ側のフード部６の両側壁に、ロック突起に対するロック片４７を設け、一方のコネクタを係止したフレームに他方のコネクタ側を挿入することで、両コネクタ２，４の両側壁方で両コネクタの係止を行わせる接続モジュール１を採用する。他方のコネクタ側のフード部６を、他方のコネクタ４を挿入するケース５で構成し、ロック片４７をケースの両側壁４５，４６に設け、他方のコネクタとケースとに係止手段５３，５４を設けた。【選択図】図１
2006048947.tif 000002
【特許請求の範囲】
【請求項１】
一方のコネクタの両側壁にそれぞれ係止アームとロック突起との両方が設けられ、該一方のコネクタを挿入する枠状のフレームの両側壁に、該係止アームに対する係合突部が設けられ、該他方のコネクタ側のフード部の両側壁に、該ロック突起に対するロック片が設けられ、該一方のコネクタを係止した該フレームに該他方のコネクタ側を挿入することで、両コネクタの両側壁方で両コネクタの係止が行われることを特徴とする接続モジュール。
【請求項２】
前記他方のコネクタ側のフード部が、該他方のコネクタを挿入するケースで構成され、前記ロック片が該ケースの両側壁に設けられ、該他方のコネクタと該ケースとに係止手段が設けられたことを特徴とする請求項１記載の接続モジュール。
【請求項３】
前記係止アームが前記一方のコネクタの凹部内に設けられ、該凹部の両側に前記ロック突起が一対配設されたことを特徴とする請求項１又は２記載の接続モジュール。
【請求項４】
前記ロック片の両側にリブが設けられ、該リブにガイドレールが延設され、前記フレームに、該ガイドレールをスライド係合させるガイド溝が設けられたことを特徴とする請求項１〜３の何れかに記載の接続モジュール。
【請求項５】
一側の前記ガイドレールと他側の前記ガイドレールとで突出長さが異なり、該ガイドレールに対応して前記フレームの両側のガイド溝の位置が異なることを特徴とする請求項４記載の接続モジュール。
【発明の詳細な説明】
【技術分野】
【０００１】
本発明は、フレーム内で待ち受ける一方のコネクタに他方のコネクタを例えばケースごと嵌合接続させる接続モジュールに関するものである。
【背景技術】
【０００２】
図１２は従来の接続モジュールの一形態を示すものである（特許文献１参照）。
【０００３】
この接続モジュール８１は、一方のコネクタ８２と、一方のコネクタ８２を係止させるフレーム８３と、一方のコネクタ８２に嵌合する他方のコネクタ８４とで構成されている。
【０００４】
一方のコネクタ８２には、両側壁に係止突起８５が設けられると共に、上壁にロック突起８６が設けられ、フレーム８３には、両側壁に、係止突起８５に対する可撓性の係合アーム８７が設けられ、他方のコネクタ８４には、上壁に、ロック突起８６に対する係合孔８９が設けられると共に、両側壁に、係止突起８５に対する逃がし用の切欠孔９０が設けられている。
【０００５】
一方のコネクタ８２内には複数の雌端子（図示せず）が収容され、各雌端子に続く電線９１がフレーム８３の上部と後部の開口８８に挿通される。フレーム８３は例えば車両ボディ等に固定される。他方のコネクタ８４には複数の雄端子９２が挿通され、その接触タブ部がコネクタ嵌合室内に突出している。他方のコネクタ８４は機器直付けのコネクタであり、雄端子９２は例えば導電金属板のバスバー等を介して機器側に接続されている。
【０００６】
一方のコネクタ８２をフレーム８３内に係止した状態で、他方のコネクタ８４が一方のコネクタ８２に嵌合しつつ係合アーム８７を撓ませて係止を解除させ、両コネクタ８２，８４が嵌合した状態で他方のコネクタ側へ移動自在となる。
【０００７】
上記以外の接続モジュールの形態としては、例えばワイヤハーネス同士を接続するコネクタが挙げられる。このコネクタの場合、図１２で他方のコネクタ８４には電線付きの雄端子が収容され、コネクタ８４から導出された複数本の電線がワイヤハーネスを構成する。
【０００８】
上記フレーム８３を用いない形態の場合は、例えばコネクタ８２の外壁に金属製の板状のスルーブラケット（図示せず）を挿入係止させるガイド部（図示せず）を設けて、コネクタをスルーブラケットで車両ボディ等に固定させる。
【特許文献１】特開平１１−５４２１０号公報（第３頁、図２）
【発明の開示】
【発明が解決しようとする課題】
【０００９】
しかしながら、上記従来の各形態の接続モジュールにあっては、例えばコネクタ８２の直交方向の隣接する壁部に係止突起８５やロック突起８６を設けたり、あるいはコネクタの外壁面にスルーブラケットに対するガイド部を大きく突出させて設けたりするために、雄・雌両コネクタの組付接続構造が肥大化・複雑化しやすいという問題があった。
【００１０】
本発明は、上記した点に鑑み、両コネクタの組付接続構造をコンパクト化・簡素化させることのできる接続モジュールを提供することを目的とする。
【課題を解決するための手段】
【００１１】
上記目的を達成するために、本発明の請求項１に係る接続モジュールは、一方のコネクタの両側壁にそれぞれ係止アームとロック突起との両方が設けられ、該一方のコネクタを挿入する枠状のフレームの両側壁に、該係止アームに対する係合突部が設けられ、該他方のコネクタ側のフード部の両側壁に、該ロック突起に対するロック片が設けられ、該一方のコネクタを係止した該フレームに該他方のコネクタ側を挿入することで、両コネクタの両側壁方で両コネクタの係止が行われることを特徴とする。
【００１２】
上記構成により、フレーム内に一方のコネクタが係止手段である係止アームと係合突部とで係止され、その状態で他方のコネクタ側の部分がフレーム内に一方のコネクタの挿入方向とは反対の方向から挿入され、他方のコネクタ側の部分と一方のコネクタとがロック手段であるロック片とロック突起とで相互にロック（係止）される。他方のコネクタ側の部分とは、フード部を一体に有する他方のコネクタであっても、あるいは他方のコネクタを覆う別体のケースを含むものであってもよい。一方のコネクタの係止アームとロック突起及びフレームの係合突部及び他方のコネクタ側のロック片は何れも両側壁すなわち短辺側の壁部に集中して配置されているから、コネクタやフレーム等の構造が厚さ方向にコンパクト化される。
【００１３】
請求項２に係る接続モジュールは、請求項１記載の接続モジュールにおいて、前記他方のコネクタ側のフード部が、該他方のコネクタを挿入するケースで構成され、前記ロック片が該ケースの両側壁に設けられ、該他方のコネクタと該ケースとに係止手段が設けられたことを特徴とする。
【００１４】
上記構成により、他方のコネクタがケース内に挿入されて係止手段で係止され、ケースのフード部内に他方のコネクタの端子部が突出して位置し、フード部内に一方のコネクタに対するコネクタ嵌合室が構成される。係止手段としては例えば係止突起と係合孔等が挙げられる。係止手段は短辺側の側壁又は長辺側の壁部の何れに設けてもよい。ケースは例えば他方のコネクタの外壁がコネクタ内の部品組付や部品接続等のために開口されている場合等に好適である。
【００１５】
請求項３に係る接続モジュールは、請求項１又は２記載の接続モジュールにおいて、前記係止アームが前記一方のコネクタの凹部内に設けられ、該凹部の両側に前記ロック突起が一対配設されたことを特徴とする。
【００１６】
上記構成により、一方のコネクタのコネクタハウジングの樹脂成形時に両側の凹部内に係止アームが容易に且つ確実に樹脂成形され、それと同時に係止アームの両側で一対のロック突起が容易に且つ確実に対向して並列に樹脂成形される。また、一対のロック突起が他方のコネクタ側の一枚のロック片で同時に係止されることで、係止力及び係止の信頼性が向上する。
【００１７】
請求項４に係る接続モジュールは、請求項１〜３の何れかに記載の接続モジュールにおいて、前記ロック片の両側にリブが設けられ、該リブにガイドレールが延設され、前記フレームに、該ガイドレールをスライド係合させるガイド溝が設けられたことを特徴とする。
【００１８】
上記構成により、ロック片が両側のリブで囲まれて外部との干渉等から保護され、ロック片は両側のリブに一体に続き、リブは真直に延長されて断面Ｌ字状等のガイドレールの一部を構成する。これにより、他方のコネクタ側の両側壁におけるガイド及びロック構造が簡素化され、これらの製造（樹脂成形）が容易化する。
【００１９】
請求項５に係る接続モジュールは、請求項４記載の接続モジュールにおいて、一側の前記ガイドレールと他側の前記ガイドレールとで突出長さが異なり、該ガイドレールに対応して前記フレームの両側のガイド溝の位置が異なることを特徴とする。
【００２０】
上記構成により、フレームに対する他方のコネクタ側の左右逆組付が防止される。すなわち、他方のコネクタ側を正規とは左右反転させてフレームに挿入しようとしても、他方のコネクタ側のガイドレールとフレームのガイド溝との位置が整合しないから、組付ができない。ガイドレールの突出長さは前記リブの突出長さを変えることで容易に変更可能である。
【発明の効果】
【００２１】
請求項１記載の発明によれば、係止手段やロック手段である一方のコネクタの係止アームとロック突起及びフレームの係合突部及び他方のコネクタ側のロック片が何れも両側壁すなわち短辺側の壁部に集中して配置されているから、コネクタやフレーム等の構造が厚さ方向にコンパクト化されると共に、コネクタやフレーム等の長辺側の壁部方が省スペース化されるから、長辺側の壁部に位置決めガイド等の他の構成部材を余裕をもって配設することができ、これらによって接続モジュールの組付構造が高機能化される。
【００２２】
請求項２記載の発明によれば、ケースを用いて例えば他方のコネクタの外壁側の開口を塞いで外壁を兼ねることができ、これにより、他方のコネクタ内への電気・電子部品の組付やハンダ接続等を容易に行うことができる。
【００２３】
請求項３記載の発明によれば、一方のコネクタの係止アームとロック突起とを容易に且つ確実に樹脂成形することができると共に、一対のロック突起で他方のコネクタ側のロック片を高い係止力で確実にロックさせることができ、コネクタロックの信頼性が高まる。
【００２４】
請求項４記載の発明によれば、ロック片の両側のリブとその延長部分のガイドレールによって他方のコネクタ側の両側壁におけるガイド及びロック構造が簡素化され、これらの製造（樹脂成形）が容易化・確実化する。
【００２５】
請求項５記載の発明によれば、ガイドレールとガイド溝の位置の違いでフレームへの他方のコネクタ側の逆組付が確実に防止されるから、他方のコネクタとフレーム側の一方のコネクタとの接続が左右逆に行われることがなく、コネクタ接続の信頼性が向上する。
【発明を実施するための最良の形態】
【００２６】
図１は、本発明に係る接続モジュールの一実施形態を示すものである。
【００２７】
この接続モジュール１は、一方のコネクタ２と、一方のコネクタ２を内側に収容係止させるフレーム３と、一方のコネクタ２に接続する他方のコネクタ４と、他方のコネクタ４を収容して他方のコネクタ４のフード部６を構成した状態でフレーム３内に挿入されるケース５とで構成されている。
【００２８】
一方のコネクタ２は図２〜図４に示す如く、合成樹脂製のコネクタハウジング７と、コネクタハウジング７内に収容される複数の電線付きの雌端子（図示せず）とで構成される。コネクタハウジング７は厚さ方向の前後二列に端子収容室８を並列に有し、前後二列の端子収容室８の間でコネクタハウジング７の厚さ方向中央に空きスペース９が設けられ、厚さ方向中央の左右両側に凹部１０が形成されている。
【００２９】
各凹部１０内に可撓性の係止アーム１１が下向きに設けられ、凹部１０の両側で左右両側壁１２，１２’の上部に前後各一対のロック突起１３が設けられ、コネクタハウジング７の下端の四角部に停止用の鍔部１４が設けられている。
【００３０】
係止アーム１１は、凹部１０の中央の垂直な壁部１５の上部から下向きに突設され、外側の傾斜面１１ａと、傾斜面１１ａに続く先端（下端）側の水平な係止面１１ｂと、係止面１１ｂに直交して下向きに続く薄肉の延長部１１ｃとを有し、壁部１５との間に撓み空間１６を存して、内向きに撓み可能である。係止面１１ｂにはガタ詰め用の断面三角形状のリブ１７が設けられている。
【００３１】
ロック突起１３は、略矩形状に突出形成され、上側に傾斜面１３ａを有し、下側に水平ないしやや斜め下向きの係止面１３ｂを有している。ロック突起１３は凹部１０内に少し突出し、図４の如く凹部１０の前後端はリブ状に突出し、このリブ１８によって凹部１０の開口幅が少し減少され、リブ１８の側端面（符号１８で示す部分）とロック突起１３の側端面とが同一面に位置している。
【００３２】
鍔部１４はコネクタハウジング７の下端の角部において直交方向に短く水平に形成されている。コネクタハウジング７の一方の壁部（前壁）１９（図２）の左右両端に一対の垂直なリブ２０が設けられ、リブ２０の下端は鍔部１４に直交して続いている。
【００３３】
コネクタハウジング７の前後の壁部１９，２１には、端子二重係止用のサイドスペーサ２２を挿入する長形な孔部２３が設けられ、孔部内にスペーサ２２が挿着されている。端子の一次係止は端子収容室８内の可撓係止ランス２４（図２）で行われる。
【００３４】
なお、本明細書ではコネクタハウジング７の幅広な面側を前後、幅狭な面側を左右としているが、前後左右上下の定義はあくまでも説明の便宜上のものであり、接続モジュール１の取付方向と必ずしも一致するものではない。
【００３５】
フレーム３（図５〜６）は合成樹脂を材料として、矩形筒状のフレーム本体２６と、フレーム本体２６を車両ボディ等の固定側に固定するブラケット２７とで一体に構成されている。
【００３６】
フレーム本体２６は前後左右の垂直な壁部２８〜３１を備え、左右の壁部３０，３１の下端内面側から内向きに一対の係合突部３２が対向して設けられている。各係合突部３２は壁部３０，３１の内面から水平に突出した中空の支持部３３と、支持部３３から上向きに突出した略三角形状の係止部３４とで構成され、係止部３４は垂直な内側の面に断面三角形状の突起３５を有し、突起３５は下向きの傾斜面３５ａと上向きの水平な係合面３５ｂを有している。係合突部３２の幅方向の前後の外壁面にはガタ詰め用の断面三角形状の垂直なリブ３６が設けられている。
【００３７】
一方のコネクタ２（図２）はフレーム３の下部開口３７からフレーム３内に挿入され、係合突部３２に一方のコネクタ２の係止アーム１１（図２）が係止され、それと同時に一方のコネクタ２の鍔部１４（図２）がフレーム３の下端側の内鍔部３８に当接する。係止に際して、係止アーム１１の傾斜面１１ａが係合突部３２の傾斜面３５ａに沿って摺接しつつ、係止アーム１１が内向きに撓み、復元と同時に係止アーム１１の係止面１１ｂが係合突部３２の係合面３５ｂに当接する。一方のコネクタ２は待ち受けコネクタとして作用する。
【００３８】
係合突部３２のリブ３６は一方のコネクタ２の凹部１０の開口縁のリブ１８（図４）に当接し、それによってフレーム３内でのコネクタ２の前後方向のガタ付きが防止される。コネクタ２の係止アーム１１（図３）の係止面１１ｂのリブ１７はフレーム３の係合突部３２の係合面３５ｂに当接し、それによってフレーム内でのコネクタ２の上下方向のガタ付きが防止される。リブ１７を係止アーム１１ではなく係合突部３２に設けることも可能である。
【００３９】
フレーム３内の鍔部３８は主に前後の壁部２８，２９の内面から水平に突設されている。前側の壁部２８において鍔部３８の左右端の外側に一対の切欠溝４０が設けられ、各切欠溝４０に連通して前側の壁部２８の内面に下端から上端まで垂直方向の一対の太幅のガイド凹部４１が設けられ、ガイド凹部４１の外側に隣接して前側の壁部２８と後側の壁部２９との上半部側の左右端に沿って垂直方向の細幅の各一対のガイド溝４２が設けられている。各ガイド凹部４１と各ガイド溝４２との間には垂直な隔壁４３，４３’が設けられ、隔壁４３，４３’と左右の壁部３０，３１との間に各ガイド溝４２が形成されている。左右の隔壁４３，４３’はその厚さを異にしている。
【００４０】
各切欠溝４０には一方のコネクタ２の前壁１９側の各位置決めリブ２０がスライド係合し、リブ２０によってコネクタ２の前後逆組付が防止される。ガイド凹部４１とガイド溝４２には後述のケース５の一部分がスライド係合する。
【００４１】
ケース５（図７〜１１）は合成樹脂を材料として、天壁４４の有る矩形筒状に形成され、左右の壁部４５，４６の下部側に上向きの可撓性のロック片４７が設けられると共に、ロック片４７の上側において左右の壁部４５，４６に各一対のガイドレール４８，４９が設けられ、前側の壁部５０の下半部内面側に左右一対のガイド凹部５２が設けられ、ガイド凹部５２の上側において前後の壁部５０，５１に各一対の係止孔（係止手段）５３が設けられている。
【００４２】
ロック片４７に一方のコネクタ２のロック突起１３（図２）が係合し、ガイドレール４８，４９がフレーム３（図５）の各ガイド溝４２にスライド係合し、ガイド凹部５２に一方のコネクタ２の位置決めリブ２０（図２）がスライド係合し、係止孔５３に後述の他方のコネクタ４の係合突起（係止手段）５４（図９）が係合する。ガイド凹部５２はフレーム３のガイド凹部４１内にスライド係合する。
【００４３】
ロック片４７は略正方形状に幅広に形成され、ほぼ中央に全幅に渡る水平方向の断面三角形状の長い突起５５を有し、突起５５は下向きに傾斜面５５ａと上向きの水平なロック面５５ｂを有している。一対のロック片４７は対向して位置している。
【００４４】
ケース５の左右の壁部４５，４６にはその下端から上部にかけて各一対の垂直で真直なリブ５６が立設され、各リブ５６の上半側に直交して垂直な第二のリブ５７が設けられ、両リブ５６，５７で断面略Ｌ字状のガイドレール４８，４９が構成されている。
【００４５】
リブ５６の下端側は直交する連結板５９（図８）で一体に連結され、連結板５９にロック片４７が一体に且つ同一平面で上向きに延長形成されている。ロック片４７の内側で左右の壁部４５，４６が開口（６０）されている。
【００４６】
各一対のガイドレール４８，４９は右側と左側とでその上半側のリブ５６，５６’の突出長さが異なっている。本例では左側のリブ５６の突出長さが左側のリブ５６’の突出長さよりも長く、従って左側のガイドレール４８の突出長さＬが右側のガイドレール４９の突出長さＬ’よりも長く設定され、それによってフレーム３（図５）へのケース５の前後逆組付が防止されている。
【００４７】
ガイドレール４８，４９に対応するフレーム３のガイド溝４２（図５）の位置も左右対称ではなく同様に異なっている（左右の隔壁４３，４３’の厚さが異なることで、左右のガイド溝４２の位置が異なっている）。ケース５の前壁５０のガイド凹部（外側から見ればガイド凸部）５２によっても、フレーム３へのケース５の前後逆組付が防止されている。
【００４８】
ケース５の左右の壁部４５，４６の下端にはフレーム３の係合突部３２（図６）の支持部３３に対する逃がし用の切欠部６１（図８）が設けられている。左右の壁部４５，４６の内面には他方のコネクタ４（図９）の垂直なガイド溝（図示せず）に対する位置決めリブ（図示せず）が設けられている。
【００４９】
ケース５は下部開口６２（図９）から内側に他方のコネクタ４を嵌合させた状態で、フレーム３の上部開口６３（図６）から下向きに挿入され、フレーム３の下部側に係止された一方のコネクタ２に他方のコネクタ４が接合して電気的に接続される。
【００５０】
本例の他方のコネクタ４（図９〜１１）は、合成樹脂製の中空矩形枠状のコネクタハウジング６４と、コネクタハウジング内に収容配索された複数本の導電金属製のバスバー６５と、コネクタハウジング内でバスバー６５に接続されたリレー６６と、バスバー６５の途中に接続された抵抗６７と、コネクタハウジング６４から外部に突出されたバスバー端末の雄端子４８とで構成されている。
【００５１】
本例の他方のコネクタ４はコネクタハウジング６４の厚さ方向中央から二分割され、コネクタハウジング６４は前後の壁部を開放して枠壁として、枠壁の開口６９からバスバー６５とリレー６６の端子６６ａや抵抗６７の端子６７ａとを溶接接続可能としている。これにより、コネクタハウジング６４の前後の開口６９を覆うケース５が必要となっている。各分割コネクタにはそれぞれバスバー６５とリレー６６と抵抗６７とが配設され、リレー６６の位置は各分割コネクタで異なり、両分割コネクタを合体した際に、各リレー６６が交互（互い違い）に位置するようになっている。図１ではコネクタハウジング６４を五方の壁部で構成した例を示している。
【００５２】
なお、両分割コネクタにおいて中央の分割面側からリレー６６や抵抗６７をバスバー６５に接続（溶接）するようにすれば、コネクタハウジング６４に前後の壁部を設け、且つ前後左右の壁部を雄端子突出方向に延長してフード部６を構成することも可能であり、コネクタハウジング６４の左右の壁部にガイドレール４８，４９を設けたり、フード部６にロック片４７やガイド凹部５２を設ければ、ケース５は省略可能である。
【００５３】
本例のコネクタハウジング６４においては、前後の枠壁の下端側（雄端子６８側）に左右一対の係合突起５４が設けられており、他方のコネクタ４をケース５の下部開口６２からケース５内に挿入（嵌合）することで、係合突起５４がケース５の係止孔５３に係合し、他方のコネクタ４の上壁７０がケース５の上壁４４の内面に接して位置する。係合突起５４をコネクタ４の中央に一つ設け、係止孔５３をケース５の中央に一つ設けることも可能である。これら細部の構成は必要に応じて適宜変更可能である。
【００５４】
他方のコネクタ４として、例えばコネクタハウジング（図示せず）にショート端子（図示せず）を設けたり、あるいはワイヤハーネス用のコネクタ（図示せず）を用いて、コネクタハウジング内に電線付きの雄端子（図示せず）を収容し、電線をコネクタハウジングから上方に導出させることも可能である。これらの場合もコネクタハウジングにロック片４７やガイドレール４８，４９等を一体に設けることでケース５は不要となる。
【００５５】
本例においては他方のコネクタ４ごとケース５をフレーム３内に挿入することで、他方のコネクタ４の前端面が一方のコネクタ２の前端面に接し、他方のコネクタ４の雄端子６８が一方のコネクタ２の端子収容室８内の雌端子に挿入接続される。フレーム３は、周知の電気接続箱（図示せず）に設けられる複数の枠のうちの一つであってもよい。
【図面の簡単な説明】
【００５６】
【図１】本発明に係る接続モジュールの一実施形態を示す分解斜視図である。
【図２】接続モジュールの一方のコネクタの一形態を示す平面図である。
【図３】同じく一方のコネクタを示す正面図である。
【図４】同じく一方のコネクタの要部を示す下方視平面図である。
【図５】接続モジュールのフレームの一形態を示す平面図である。
【図６】同じくフレームを示す縦断面図である。
【図７】接続モジュールのケースの一形態を示す正面図である。
【図８】同じくケースを示す側面図である。
【図９】ケース内の他方のコネクタの一形態を示す縦断面図である。
【図１０】同じくケース内の他方のコネクタを示す下方視平面図である。
【図１１】同じくケース内の他方のコネクタの端子部を示す縦断面図である。
【図１２】従来の接続モジュールの一形態を示す分解斜視図である。
【符号の説明】
【００５７】
１            接続モジュール
２            一方のコネクタ
３            フレーム
４            他方のコネクタ
５            ケース
６            フード部
１０          凹部
１１          係止アーム
１２，１２’  左右の壁部（両側壁）
１３          ロック突起
３０，３１    左右の壁部（両側壁）
３２          係合突部
４２          ガイド溝
４５，４６    左右の壁部（両側壁）
４７          ロック片
４８，４９    ガイドレール
５３          係止孔（係止手段）
５４          係合突起（係止手段）
５６          リブ
【図１】
2006048947.tif 000003
【図２】
2006048947.tif 000004
【図３】
2006048947.tif 000005
【図４】
2006048947.tif 000006
【図５】
2006048947.tif 000007
【図６】
2006048947.tif 000008
【図７】
2006048947.tif 000009
【図８】
2006048947.tif 000010
【図９】
2006048947.tif 000011
【図１０】
2006048947.tif 000012
【図１１】
2006048947.tif 000013
【図１２】
2006048947.tif 000014